(57)【特許請求の範囲】
【請求項１】
外側レールと、該外側レールとボールリテーナーを介して互いに摺動自在となした内側レールよりなり、外側レールと内側レールの一方向の摺動範囲を規制するリテーナー第１ストッパーが、内側レール側に突出してボールリテーナーの基板に形成され、リテーナー第１ストッパーに対応して内側レールに内側レール第１ストッパーが形成されたスライドレールにおいて、前記内側レール第１ストッパーは、指づめ防止用案内面と、指づめ防止用案内面に形成された切り欠き部を有し、ボールリテーナー側に突出して、内側レールの基板と一体に形成され、切り欠き部は、指先が進入しない程度の大きさで、前記リテーナー第１ストッパーが内部に位置してリテーナーの摺動を停止させる事を特徴とするスライドレール。
【請求項２】
外側レールと、該外側レールとボールリテーナーを介して互いに摺動自在となした内側レールよりなり、外側レールの摺動方向両端部に、ボールリテーナーの摺動方向の両端部が当接し、ボールリテーナーの摺動範囲を規制する外側レール第１、第２ストッパーが形成され、ボールリテーナーの基板に、内側レール側に突出し、外側レールと内側レールの一方向の摺動範囲を規制するリテーナー第１ストッパーと、リテーナー第１ストッパーと摺動方向に所定間隔を有して、外側レールと内側レールの他方向の摺動範囲を規制するリテーナー第２ストッパーが形成され、内側レールの基板に、前記リテーナー第１ストッパーに対応して内側レール第１ストッパーと、前記リテーナー第１ストッパーに影響されない位置でリテーナー第２ストッパーに当接する内側レール第２ストッパーが形成されたスライドレールにおいて、前記内側レール第１ストッパーは、指づめ防止用案内面と、指づめ防止用案内面に形成された切り欠き部を有し、ボールリテーナー側に突出して、内側レールの基板と一体に形成され、切り欠き部は、指先が進入しない程度の大きさで、前記リテーナー第１ストッパーが内部に位置してリテーナーの摺動を停止させる事を特徴とするスライドレール。
【発明の詳細な説明】
【０００１】
【産業上の利用分野】
本発明は、複写機の原稿移動台等に使用されるスライドレールに関するものである。
【０００２】
【従来の技術】
従来、上記スライドレールにおいて、ボールリテーナーと内側レールの互いの摺動範囲を規制する為に設けられたストッパーと外側レール間での指づめを防止する為、内側レールの内面からボールリテーナーの端面に当接してその一方の移動を阻止するリテーナーストッパーを立ち上げ、該リテーナーストッパーのボールリテーナー当接側に位置して、リテーナーストッパーに近接する側で高位となりリテーナーストッパーから遠ざかる側で低位となる指づめ防止用の弾性傾斜板を配し、該傾斜板をその弾性変位にて浮沈動可能に内側レール内面に取付けたものが提案されている（実公昭６１−３３２９３号公報）。
【０００３】
これによると内側レールとは別に指づめ防止用の弾性傾斜板を用意する必要があり高価となるだけでなく、内側レールに弾性傾斜板を取りつける作業が必要となり、生産性が悪く、又、弾性傾斜板を誤って指先で押し込んだ状態でいると指づめ防止の効果が期待出来ないと云う問題があった。
【０００４】
一方、細長条板の一部を内側レールの内面から外側レールの内面に向けて一体に切起し、該切起し片にてボールリテーナー側に向って下り勾配となる指づめ防止用傾斜片を形成すると共に、該切起し片の一部で切起し片上に突出する舌片を形成してこれをリテーナーストッパーとしたものも提案されている（実開昭６０−３７６２４号公報）。しかしこの場合、安価で生産性に優れているが、舌片が切起し片上に突出しているので、これと外側レール間に指先をつめると云う問題を完全に解決するまでには至らなかった。
【０００５】
【発明が解決しようとする課題】
本発明は、上記問題を解決する事を課題とし、簡単な構造で生産性に優れ、安価に製作でき、しかも指づめを完全に防止できるスライドレールを提供する事を目的とする。
【０００６】
【課題を解決する為の手段】
上記課題を解決する為、本発明が手段とする第１の特徴は、外側レールと、該外側レールとボールリテーナーを介して互いに摺動自在となした内側レールよりなり、外側レールと内側レールの一方向の摺動範囲を規制するリテーナー第１ストッパーが、内側レール側に突出してボールリテーナーの基板に形成され、リテーナー第１ストッパーに対応して内側レールに内側レール第１ストッパーが形成されたスライドレールにおいて、前記内側レール第１ストッパーは、指づめ防止用案内面と、指づめ防止用案内面に形成された切り欠き部を有し、ボールリテーナー側に突出して、内側レールの基板と一体に形成され、切り欠き部は、指先が進入しない程度の大きさで、前記リテーナー第１ストッパーが内部に位置してリテーナーの摺動を停止させるものである。
【０００７】
次に本発明が手段とする第２の特徴は、外側レールと、該外側レールとボールリテーナーを介して互いに摺動自在となした内側レールよりなり、外側レールの摺動方向両端部に、ボールリテーナーの摺動方向の両端部が当接し、ボールリテーナーの摺動範囲を規制する外側レール第１、第２ストッパーが形成され、ボールリテーナーの基板に、内側レール側に突出し、外側レールと内側レールの一方向の摺動範囲を規制するリテーナー第１ストッパーと、リテーナー第１ストッパーと摺動方向に所定間隔を有して、外側レールと内側レールの他方向の摺動範囲を規制するリテーナー第２ストッパーが形成され、内側レールの基板に、前記リテーナー第１ストッパーに対応して内側レール第１ストッパーと、前記リテーナー第１ストッパーに影響されない位置でリテーナー第２ストッパーに当接する内側レール第２ストッパーが形成されたスライドレールにおいて、前記内側レール第１ストッパーは、指づめ防止用案内面と、指づめ防止用案内面に形成された切り欠き部を有し、ボールリテーナー側に突出して、内側レールの基板と一体に形成され、切り欠き部は、指先が進入しない程度の大きさで、前記リテーナー第１ストッパーが内部に位置してリテーナーの摺動を停止させるものである。
【０００８】
【発明の実施の形態】
外側レールと、該外側レールとボールリテーナーを介して互いに摺動自在となした内側レールよりなり、外側レールの摺動方向両端部に、ボールリテーナーの摺動方向の両端部が当接し、ボールリテーナーの摺動範囲を規制する外側レール第１、第２ストッパーが形成され、ボールリテーナーの基板に、内側レール側に突出し、外側レールと内側レールの一方向の摺動範囲を規制するリテーナー第１ストッパーと、リテーナー第１ストッパーと摺動方向に所定間隔を有して、外側レールと内側レールの他方向の摺動範囲を規制するリテーナー第２ストッパーが形成され、内側レールの基板に、前記リテーナー第１ストッパーに対応して内側レール第１ストッパーと、前記リテーナー第１ストッパーに影響されない位置でリテーナー第２ストッパーに当接する内側レール第２ストッパーが形成されたスライドレールにおいて、前記内側レール第１ストッパーは、指づめ防止用案内面と、指づめ防止用案内面に形成された切り欠き部を有し、ボールリテーナー側に突出して、内側レールの基板と一体に形成され、切り欠き部は、指先が進入しない程度の大きさで、前記リテーナー第１ストッパーが内部に位置してリテーナーの摺動を停止させるものである。
【０００９】
【実施例】
以下、添付図面に基づいて実施例を説明する。
図１において、符号１は外側レールを示し、符号２は内側レールを示し、符号３はボールリテーナーを示している。
【００１０】
外側レール１は、金属製の細長条板の短手両端部を内向き円弧状に折り曲げて形成された内面長手方向（摺動方向）にボール案内溝を有する折曲縁１１、１１と、基板１２より断面略Ｃ字形に形成されている。
そして、摺動方向両端部に、ボールリテーナー３の摺動方向の両端部が当接し、ボールリテーナー３の摺動範囲を規制する外側レール第１ストッパー１３、外側レール第２ストッパー１４が内側レール２方向に突出して形成されている。
符号１５・・・はＯＡ機器の部材との連結孔を示している。
【００１１】
内側レール２は外側レール１とほぼ同長で、外側レール１内でボールリテーナー３を介して摺動自在な大きさの、金属製の細長条板の短手両端部を外向き円弧状に折り曲げて形成された外面長手方向（摺動方向）にボール案内溝を有する折曲縁２１、２１と基板２２より、断面略Ｃ字形に形成されている。
そして、基板２２の短手方向の中央部に、指づめ防止用案内面４１を有する略円弧状の内側レール第１ストッパー４がボールリテーナー３側に突出して基板２２と一体に形成されて、該内側レール第１ストッパー４の指づめ防止用案内面４１に切り欠き部４２が形成されている。
【００１２】
そして、内側レール２の基板２２の折曲縁２１、２１側の端部に、内側レール第１ストッパー４と摺動方向に所定間隔を有して外側レール１方向に突出する内側レール第２ストッパー４３が基板２２と一体に形成されている。
符号２３・・・は、ＯＡ機器の部材との取付孔を示している。
【００１３】
ボールリテーナー３は、上記両レール１、２の半分程度の長さの金属製の細長条板の短手端部を、両レール１、２の折曲縁１１、１１、２１、２１間に突出せしめた折曲片３１、３１と、折曲片３１、３１間に略コ字形に形成された基板３２より構成され、折曲片３１、３１の長手方向にボール３３・・・を回転自在に保持している。
そして、基板３２の一部を折曲片３１、３１側に一体に突出せしめてリテーナー第２ストッパー３４、３４が形成され、リテーナー第２ストッパー３４、３４と摺動方向に所定間隔を有して、前記内側レール第１ストッパー４の切り欠き部４２内に位置して内側レール第１ストッパー４の頂部に当接するよう、基板３２の短手方向中央部の一部を、内側レール２の基板２２方向に一体に突出せしめてリテーナー第１ストッパー３５が形成されている。
【００１４】
尚、実施例では、内側レール第１ストッパー４を円弧状に形成しているが、指先が内側レール第１ストッパー４の上面に案内されて脱出可能な形状を有しておればよく、特に形状を限定するものではない。又、実施例では、切り欠き部４２は、あらかじめボールリテーナー３側に突出させず基板２２をそのままにしておく事により形成されているが、指先が進入しない大きさであれば良く、その形状を限定するものではない。
【００１５】
本発明は上記の如く構成されており、仮に内側レール２を固定側とすれば、図１において外側レール１が外側レール第１ストッパー１３の外側方向に摺動すると、ボールリテーナー３は外側レール１の摺動方向に外側レール１の摺動距離の半分の距離移動し、やがて、リテーナー第１ストッパー３５が、内側レール第１ストッパー４の切り欠き部４２内に位置して、内側レール第１ストッパー４の頂部に当接し、同時に外側レール第２ストッパー１４がボールリテーナー３の摺動方向とは反対側の端部に当接する。この状態でボールリテーナー３の内側レール２に対する摺動は停止し、外側レール１はボールリテーナー３との摺動を停止して、外側レール１は内側レール２に対し摺動方向に大きく突出した状態となる。
【００１６】
次に、上記の状態から外側レール１を外側レール第２ストッパー１４の外側方向に摺動させると、上記同様ボールリテーナー３は外側レール１の摺動方向に外側レール１の摺動距離の半分の距離移動し、やがて、リテーナー第２ストッパー３４、３４が内側レール第２ストッパー４３、４３に当接し、同時に外側レール第１ストッパー１３がボールリテーナー３の摺動方向とは反対側の端部に当接する。この状態でボールリテーナー３は内側レール２に対する摺動は停止し、外側レール１はボールリテーナー３との摺動を停止して、外側レール１は内側レール２に対し摺動方向に大きく突出した状態となる。
【００１７】
この時、内側レール第１ストッパー４はＯＡ機器等の外部に露出した状態となり、内側レール第２ストッパー４３、４３はＯＡ機器内に隠蔽された状態となっている。そして外部に露出した内側レール第１ストッパー４に誤って指先が触れた状態で再び外側レール１が摺動してその端部が指先に衝突しても、切り欠き部４２は指先が進入しない大きさに形成されているから、指先は内側レール第１ストッパー４の指づめ防止用案内面４１に沿って、外側レール１の摺動軌道から脱出し指づめを起こす心配がない。
【００１８】
【発明の効果】
（１）特許請求の範囲の請求項１に記載の発明によれば、ボールリテーナーの基板に、外側レールと内側レールの一方向の摺動範囲を規制するリテーナー第１ストッパーが内側レール側に突出して形成され、内側レールの基板に、指づめ防止用案内面と、指づめ防止用案内面に前記リテーナー第１ストッパーが摺動時に内部に位置し、指先が進入しない程度の大きさの切り欠き部を有する内側レール第１ストッパーが、ボールリテーナー側に突出して、内側レールの基板と一体に形成されているので、従来のように別部材を取付る作業が必要なく生産性に優れ、安価に製作できる。又、内側レール第１ストッパーに指づめ防止用案内面を形成し、これに指先が進入しない程度の大きさの切り欠き部を設け、該切り欠き部にリテーナー第１ストッパーが摺動時に内部に位置する構成としているので従来のように突出する個所がなく、外側レールの摺動にともなって指先は確実に外側レールの軌道から脱出し、完全に指づめを防止出来る。
【００１９】
（２）請求項２に記載の発明によれば、前記（１）の効果に加え、リテーナー第１ストッパーと、リテーナー第１ストッパーと摺動方向に所定間隔を有して、外側レールと内側レールの他方向の摺動範囲を規制するリテーナー第２ストッパーが形成され、内側レールの基板と一体に内側レール第１ストッパーが、ボールリテーナー側に突出して形成されていると共に、摺動時前記リテーナー第１ストッパーに影響されない位置でリテーナー第２ストッパーに当接する内側レール第２ストッパーが内側レールの基板と一体に形成されているので、リテーナー第２ストッパーは内側レール第１ストッパーを通り越して移動可能で、リテーナー第１ストッパーは内側レール第２ストッパーを通り越して移動可能となり、内側レールに対する外側レールの摺動範囲を大きく構成する事が出来る。
【図面の簡単な説明】
【図１】  本発明の分解斜視図
【図２】  本発明の断面図
【図３】  内側レール第１ストッパーとリテーナー第１ストッパーの関係を示す断面図
【図４】  内側レール第２ストッパーとリテーナー第２ストッパーの関係を示す断面図
【符号の説明】
１          外側レール
１３        外側レール第１ストッパー
１４        外側レール第２ストッパー
２          内側レール
２２        基板
３          ボールリテーナー
３２        基板
３４        リテーナー第２ストッパー
３５        リテーナー第１ストッパー
４          内側レール第１ストッパー
４１        指づめ防止用案内面
４２        切り欠き部
４３        内側レール第２ストッパー
【図１】
0003814004.tif 000002
【図２】
0003814004.tif 000003
【図３】
0003814004.tif 000004
【図４】
0003814004.tif 000005